(57)【要約】      （修正有）【課題】効果のある鳥獣害防止装置は動物の外形と動きを模して制作されるため、構造が複雑であった。そこで、夜間の防獣に限ることで形状と構造を単純化し、製造コストを低減しつつ防獣効果の高い獣害防止装置を提供する。【解決手段】棒状の本体部１０と、前記本体部に設けられた電源部と、前記本体部の上部に左右一対で設けられた第一支持アームと第二支持アームと、前記第一支持アーム２０に保持された第一発光体３０と、前記第二支持アーム２２に保持された第二発光体３２と、前記本体部に設けられた超音波センサと、前記本体部に設けられた音源部と、前記本体部に設けられたスピーカ５０と、前記本体部の下部に設けられた杭部とから構成される獣害防止装置１であって、前記超音波センサが夜間に動体を検知すると、前記第一発光体と前記第二発光体が点灯するとともに前記スピーカから威嚇音を発する。【選択図】図１
0003222115.tif 000002
【実用新案登録請求の範囲】
【請求項１】
棒状の本体部と、
前記本体部に設けられた電源部と、
前記本体部の上部に左右一対で設けられた第一支持アームと第二支持アームと、
前記第一支持アームに保持された第一発光体と、
前記第二支持アームに保持された第二発光体と、
前記本体部に設けられた超音波センサと、
前記本体部に設けられた音原部と、
前記本体部に設けられたスピーカと、
前記本体部の下部に設けられた杭部と
から構成される獣害防止装置であって、
前記超音波センサが夜間に動体を検知すると、
前記第一発光体と前記第二発光体が点灯すると
ともに前記スピーカから威嚇音を発する
ことを特徴とする獣害防止装置。
【請求項２】
前記第一発光体と前記第二発光体と前記超音波センサとを除く全ての表面が黒色であることを特徴とする請求項１に記載の獣害防止装置。
【請求項３】
前記第一発光体と前記第二発光体が山吹色の円形に点灯することを特徴とする請求項１又は２に記載の獣害防止装置。
【請求項４】
前記第一発光体の中心と前記第二発光体の中心との離隔距離が１５ｃｍ〜３０ｃｍであることを特徴とする請求項１〜３のいずれか１項に記載の獣害防止装置。
【請求項５】
前記本体部の下端から前記第一発光体の中心と前記第二発光体の中心までの高さが２０ｃｍ〜５０ｃｍであることを特徴とする請求項１〜４のいずれか１項に記載の獣害防止装置。
【請求項６】
前記第一発光体と前記第二発光体が球状であり、リング状の保持材で保持され、前面と背面の両方から夜間に光る猛獣の目の形態として観察されることを特徴とする請求項１〜５のいずれか１項に記載の獣害防止装置。
【考案の詳細な説明】
【技術分野】
【０００１】
本考案は、人や農作物等に危害を加える害獣を追い払うことができる獣害防止装置に関するものである。
【背景技術】
【０００２】
近年、カラス、イノシシ、アライグマ等の増加により、これらの害鳥獣が人里に侵入し農作物を荒らすことに加え、宅地にまで侵入して人の生活にも害を与えることが問題になっている。そこで、これらの獣鳥害を防止するために、様々な対策が講じられている。
【０００３】
例えば、害鳥の忌避効果のある威嚇体を摺動可能な筒状部材上に設けて、威嚇体の上下移動を可能とし、威嚇体の目の発光手段と威嚇音声の発生手段とを備えた鳥害防止装置（特許文献１参照）が提案されている。また、鳥の羽ばたき動作ができ、目に発光ダイオードを備え、猛禽類の鳴き声を発生する鳥の羽ばたき装置（特許文献２参照）が提案されている。
【先行技術文献】
【特許文献】
【０００４】
【特許文献１】特開２００７−３２５５０７号公報
【特許文献２】特開２００３−３０４７９５号公報
【考案の概要】
【考案が解決しようとする課題】
【０００５】
しかしながら、特許文献１及び２の防鳥獣装置は、外形を実物の猛禽類に似せて制作しなければならず、かつ動きを作りだすための駆動機構が必要となり、装置の構造が複雑となる。
【０００６】
そこで、本考案は、夜間のみに効果を発揮することを前提に、構造が単純な獣害防止装置を提供することを課題としている。
【課題を解決するための手段】
【０００７】
本考案は、夜間に光る猛獣の目と威嚇音により、獣害を防止しようとするものである。
【０００８】
すなわち、第１の本考案は、棒状の本体部と、本体部に設けられた電源部と、本体部の上部に左右一対で設けられた第一支持アームと第二支持アームと、第一支持アームに保持された第一発光体と、第二支持アームに保持された第二発光体と、本体部に設けられた超音波センサと、本体部に設けられた音原部と、本体部に設けられたスピーカと、
本体部の下部に設けられた杭部とから構成される獣害防止装置であって、超音波センサが夜間に動体を検知すると、第一発光体と第二発光体が点灯するとともにスピーカから威嚇音を発することを特徴とする獣害防止装置である。
【０００９】
第１の本考案の本体部と第一支持アームと第二支持アームはＴ字形またはＹ字形に構成される。
そして、第一支持アームと第二支持アームの先端には夫々第一発光体と第二発光体が設けられ、この両方の発光体が、超音波センサが夜間に動体を検知すると点灯する。
ところで、虎に代表されるネコ科の猛獣の目は、網膜の裏にタぺタム（輝板）と呼ばれる反射板組織があり、目に入った光を反射して網膜に返すことで暗いところでも鮮明に見える構造をとっている。この構造により目にタぺタム（輝板）を備えた動物は、夜間に姿は見えないにもかかわらず、２つの目だけが光って見えることになる。
そこで第１の本考案は、虎等の猛獣は、目だけが闇夜に光って見えることを利用している。第１の本考案は本体部と第一支持アームと第二支持アームを暗い色にすると夜間には見えず、ちょうど猛獣の目のように２つの光だけが見えることで、猛獣の存在を害獣に認知させる機能を発揮している。
さらに、超音波センサが夜間に動体を感知すると、先の発光体の点灯に加えて、スピーカから威嚇音を発することで、防獣効果を高めている。なお、超音波センサはドップラー効果を用いて動体を検知するが、植物等の風による些細な動きに反応しないように動体検知の感度が調整される。
【００１０】
次に第２の本考案は、第１の本考案において、第一発光体と第二発光体と超音波センサとを除く全ての表面が黒色であることを特徴とする獣害防止装置である。
本体部と支持アームを黒色にすることで、第一発光体と第二発光体以外を見えにくくし、さらに夜間に光る猛獣の目に似せている。
既に猛獣の外形を模して、目が光る防獣装置が公知になっているが、本考案は、防獣効果を夜間に限定することで、黒色に着色された骨組みだけの簡単な構造でコストの低減と防獣効果の両立を実現している。
【００１１】
次に第３の本考案は、第１又は第２の本考案において、第一発光体と第二発光体が山吹色の円形に点灯することを特徴とする獣害防止装置である。
イノシシを対象にして種々実験の結果、第一発光体と第二発光体の発光色が白色では効果が小さく、山吹色で最も効果が高いことを発見したからである。
【００１２】
次に第４の本考案は、第１〜第３のいずれか一つの本考案において、第一発光体と第二発光体との離隔距離が、１５ｃｍ〜３０ｃｍであることを特徴とする獣害防止装置である。
目にタぺタム（輝板）を有する動物は多く存在するがネコなどの小型動物では害獣が危険を感じることがなく、防獣効果が薄い。そこで、第一発光体と第二発光体の間隔をネコ科の動物のなかで猛獣と呼ばれる虎、豹、ライオンなどの大型肉食動物の目の間隔に近くなるように設定した。
【００１３】
次に第５の本考案は、第１〜第４のいずれか一つの本考案において、本体部の下端から第一発光体の中心と第二発光体の中心までの高さが２０ｃｍ〜５０ｃｍであることを特徴とする獣害防止装置である。
本体部の下端から第一発光体の中心と第二発光体の中心までの高さを、猛獣が獲物を狙って潜んでいる状態から歩いている状態までの目の高さの範囲内とした。
本考案の獣害防止装置は、防獣対象区域の地中に杭部を差し込んで設置される。このとき、第一及び第二発光体の地上高を虎等の猛獣が獲物を狙って伏せているときから歩いているときまでの目の高さに合わせると、より防獣効果が高まる。
【００１４】
そして第６の本考案は、第１〜第５のいずれか一つの本考案において、第一発光体と第二発光体が球状であり、リング状の保持材で保持され、前面と背面の両方から夜間に光る猛獣の目の形態として観察されることを特徴とする獣害防止装置である。
球状の発光体を支持アームの先端でリング状の保持材で支持することで、本考案に係る獣害防止装置の発光が前面と背面の両方から確認されることで、防獣効果を高めることができる。
【考案の効果】
【００１５】
上記の基本的な構成からなる本考案は、猛獣の目に似せた光る目と威嚇音による夜間の防獣効果に限定することで、外形を猛獣に似せることなく、簡単な構造で製造コストの低減を図りつつ防獣効果を高めることができる。
【図面の簡単な説明】
【００１６】
【図１】本考案の実施形態を説明するための正面図である。
【図２】本考案の実施形態を説明するための側面図である。
【図３】本考案の実施形態を説明するための上部拡大平面図である。
【図４】本考案の実施形態を説明するためのブロック図である。
【図５】本考案の実施形態を説明するための斜視図である。
【考案を実施するための形態】
【００１７】
以下、本考案の実施形態（実施例）を図に基づいて詳細に説明する。
【実施例】
【００１８】
図１は、本考案の実施形態を説明するための正面図である。
筒状の本体部１０の上部に筐体に納められたスピーカ５０が設けられ、そのすぐ上部に超音波センサ４０が設けられている。そして超音波センサ４０が設けられた筐体の左右に第一発光体３０と第二発光体３２を支持するために第一支持アーム２０と第二支持アーム２２がＹの字形に設けられている。
【００１９】
本体部１０の下部には杭部６０がネジ込み式で設けられている。本体部１０の内部は乾電池の収納機能を有し、杭部６０を取り外して乾電池を交換する。
第一発光体３０と第二発光体３２と超音波センサ４０を除く部分は、黒色に塗装されている。
【００２０】
超音波センサ４０が夜間に動体を検知すると、第一発光体３０と第二発光体３２が山吹色に点灯するとともに、スピーカ５０から猛獣の声に似せた威嚇音が流れる。
第一発光体３０と第二発光体３２の点灯色は山吹色に限るものではないが、白色では防獣効果が薄く、少し黄色や赤色の要素を入れた色が好ましく、種々実験の結果、山吹色が一番防獣効果のあった色である。
【００２１】
超音波センサ４０の動体感知範囲は左右約３６０°、上下約４５°で最大約１０ｍである。また、第一発光体と第二発光体は、山吹色に着色された球状のＡＢＳ樹脂の内部にＬＥＤを設けた構成となっている。山吹色に着色されたＡＢＳ樹脂を透過した光が夜間のタぺタム（輝板）を持つ猛獣の目の光と似ていることで、防獣効果が高くなっている。
【００２２】
さらに、上述のように第一発光体３０と第二発光体３２と超音波センサ４０を除く部分は、黒色に塗装されているため、夜間においては、山吹色に光る円形の第一発光体と第二発光体のみが害獣から認識される。
猛獣の外形を模して、目が光る公知の獣害防止装置に比べ、本考案は、防獣効果を夜間に限定することで、骨組みだけの簡単な構造でコストの低減と防獣効果の両立を実現している。
【００２３】
なお、第一発光体３０の中心と第二発光体３２の中心との離隔距離は１５ｃｍ〜３０ｃｍとすることが好ましい。また、本体部１０の下端から第一発光体３０の中心と第二発光体３２の中心までの高さを２０ｃｍ〜５０ｃｍとすることが好ましい。この２つの範囲を外れると害獣から両発光体が、猛獣の目と認識されないからである。
【００２４】
図２は、本考案の実施形態を説明するための側面図である。
第一支持アーム２０の先端に設けられたリング状の保持材２４によって第一発光体３０の中央部が保持されている。この構造によって第一発光体３０は獣害防止装置１の前後から認識されることになる。第二発光体についても同様である。
【００２５】
図３は、本考案の実施形態を説明するための上部拡大平面図である。図２で説明したように第一発光体３０が第一支持アーム２０の先端に設けられたリング状の保持材２４によって保持されている様子が分かる。第二発光体３２も同様である。
【００２６】
次に図４を用いて、本考案の実施形態を制御面から説明する。
図４は、本考案の実施形態を説明するためのブロック図である。
本実施形態の制御構造は、制御回路８０を中心に構成されている。制御回路８０には電源部７０から電源が供給されている。そして、超音波センサ４２の情報が物体検知部４０を経由して制御回路８０に伝達される。超音波センサ４２は物体の動きを検知すると物体検知情報を物体検知部４０に伝達する機能を有している。なお、物体の動きは超音波センサ４２で受信されたドップラー効果による超音波の周波数の変化情報をもとに、物体検知部４０で検知される仕組みであるが、風による些細な植物の動き等は除外するように検知感度が調整される。
また、光センサ９２の情報が光センサ部９０を経由して制御回路８０に伝達される。光センサ９２にはフォトレジスタが採用され、周囲の明るさの変化に応じた情報を光センサ部９０に伝達する。光センサ部９０は予め設定された周囲の明るさのしきい値に基づき、制御回路に夜間であることの情報である夜間情報を伝達する。
【００２７】
制御回路８０は、光センサ部９０からの夜間情報に加えて、物体検知部４０から物体検知の情報が入ると、ＬＥＤ制御部３８を駆動させてＬＥＤ３４とＬＥＤ３６を点灯させるとともに、音源部５２を駆動させてスピーカ５０から威嚇音を発生させる。制御回路８０は、光センサ部９０及び物体検知部４０からの夜間情報と物体検知情報のどちらか一方がなくなると、一定時間経過後にＬＥＤ制御部３８と音源部５２の駆動を停止させる。
【００２８】
図５は、本考案の実施形態を説明するための斜視図である。
本考案の獣害防止装置は、図５に示すとおり、例えば雑草が生い茂る地面に杭部を差し込んで、本体部から上が地上に出るように設置される。
【産業上の利用可能性】
【００２９】
本考案の獣害防止装置は、住宅の夜間における不審者侵入防止用としても利用することができる。
【符号の説明】
【００３０】
１      獣害防止装置
１０    本体部
２０    第一支持アーム
２２    第二支持アーム
２４    リング状の保持材
３０    第一発光体
３２    第二発光体
３４    ＬＥＤ
３６    ＬＥＤ
３８    ＬＥＤ制御部
４０    物体検知部
４２    超音波センサ
５０    スピーカ
５２    音源部
６０    杭部
７０    電源部
７２    乾電池
８０    制御回路
９０    光センサ部
９２    光センサ
【図１】
0003222115.tif 000003
【図２】
0003222115.tif 000004
【図３】
0003222115.tif 000005
【図４】
0003222115.tif 000006
【図５】
0003222115.tif 000007
【手続補正書】
【提出日】令和1年5月9日(2019.5.9)
【手続補正１】
【補正対象書類名】明細書
【補正対象項目名】０００８
【補正方法】変更
【補正の内容】
【０００８】
すなわち、第１の本考案は、棒状の本体部と、本体部に設けられた電源部と、本体部の上部に左右一対で設けられた第一支持アームと第二支持アームと、第一支持アームに保持された第一発光体と、第二支持アームに保持された第二発光体と、本体部に設けられた超音波センサと、本体部に設けられた音源部と、本体部に設けられたスピーカと、
本体部の下部に設けられた杭部とから構成される獣害防止装置であって、超音波センサが夜間に動体を検知すると、第一発光体と第二発光体が点灯するとともにスピーカから威嚇音を発することを特徴とする獣害防止装置である。
【手続補正２】
【補正対象書類名】実用新案登録請求の範囲
【補正対象項目名】請求項１
【補正方法】変更
【補正の内容】
【請求項１】
棒状の本体部と、
前記本体部に設けられた電源部と、
前記本体部の上部に左右一対で設けられた第一支持アームと第二支持アームと、
前記第一支持アームに保持された第一発光体と、
前記第二支持アームに保持された第二発光体と、
前記本体部に設けられた超音波センサと、
前記本体部に設けられた音源部と、
前記本体部に設けられたスピーカと、
前記本体部の下部に設けられた杭部と
から構成される獣害防止装置であって、
前記超音波センサが夜間に動体を検知すると、
前記第一発光体と前記第二発光体が点灯すると
ともに前記スピーカから威嚇音を発する
ことを特徴とする獣害防止装置。